(57)【要約】  六面体棋盤（１００）及び六面体棋（１０）であって、六面体棋盤（１００）は６つの表面を有する棋盤本体（１）を備え、６つの前記表面にはいずれも複数の棋格子（１１）が開設され、複数の前記棋格子（１１）内にはいずれも駒（２００）を吸着するための磁石（１２）が設けられ、これによって前記棋盤本体（１）の棋格子（１１）内に前記駒（２００）を配置及び吸着させる。
2020513946.tif 000002
【特許請求の範囲】
【請求項１】
６つの表面を有する棋盤本体を備え、６つの前記表面にはいずれも複数の棋格子が開設され、複数の前記棋格子内にはいずれも駒を吸着するための磁石が設けられ、これによって前記棋盤本体の棋格子内に前記駒を配置及び吸着させることを特徴とする六面体棋盤。
【請求項２】
前記表面における棋格子は、ｎ×ｎの格子状の配列を形成し、前記ｎは正の整数であることを特徴とする請求項１に記載の六面体棋盤。
【請求項３】
各前記表面の複数の前記棋格子は、複数の三面棋格子と、複数の二面棋格子と、複数の一面棋格子とを含み、
各前記表面の複数の前記三面棋格子の前記格子状の配列における座標がそれぞれ（１，１）、（１，ｎ）、（ｎ，１）及び（ｎ，ｎ）であり、
各前記表面の複数の前記二面棋格子の前記格子状の配列における座標がそれぞれ（１，２）、（１，３）……（１，ｎ−１）、（２，１）、（３，１）……（ｎ−１，１）、（２，ｎ）、（３，ｎ）……（ｎ−１，ｎ）、（ｎ，２）、（ｎ，３）……（ｎ，ｎ−１）であり、
各前記表面の複数の前記一面棋格子の前記格子状の配列における座標がそれぞれ（２，２）、（２，３）……（２，ｎ−１）、（３，２）、（３，３）……（３，ｎ−１）……（ｎ−１，２）、（ｎ−１，３）……（ｎ−１，ｎ−１）であることを特徴とする請求項２に記載の六面体棋盤。
【請求項４】
前記一面棋格子は、１つの底面及び４つの側面を含み、中空構造で５面を有する棋格子を形成し、
前記二面棋格子は、１つの底面及び３つの側面を含み、中空構造で４面を有する棋格子を形成し、
前記三面棋格子は、１つの底面及び２つの側面を含み、中空構造で３面を有する棋格子を形成することを特徴とする請求項３に記載の六面体棋盤。
【請求項５】
立方体枠組みをさらに備え、前記立方体枠組みは、隣接する２つの前記表面の交差位置にそれぞれ配置された複数の枠棒を含んでいることを特徴とする請求項１に記載の六面体棋盤。
【請求項６】
前記立方体枠組みは複数の角丸装置を備え、複数の前記角丸装置は３つの前記表面の交点位置にそれぞれ配置されることを特徴とする請求項５に記載の六面体棋盤。
【請求項７】
前記棋盤本体は立方体であることを特徴とする請求項１に記載の六面体棋盤。
【請求項８】
請求項１乃至７のいずれか一項に記載の六面体棋盤及び複数の駒を含むことを特徴とする六面体棋。
【請求項９】
前記駒は立方体であり、前記立方体の辺の長さは前記棋格子の幅よりも小さいことで、前記駒を前記棋格子内の磁石に吸着させることを特徴とする請求項８に記載の六面体棋。
【請求項１０】
前記駒は球体であり、前記球体の直径は前記棋格子の幅よりも小さいことで、前記駒を前記棋格子内の磁石に吸着させることを特徴とする請求項８に記載の六面体棋。
【発明の詳細な説明】
【技術分野】
【０００１】
本発明は、棋盤構造の技術分野に関し、特に、六面体棋盤及び六面体棋に関する。
【背景技術】
【０００２】
伝統的な囲碁は世界で最も人気のある知的ゲームとなり、さらには完全なプロ競技会を伴う特別なスポーツに発展したが、これは全て２次元囲碁に限られている。
【０００３】
科学技術の発展、技術の革新に伴い、３Ｄ印刷や、３Ｄ映画、バーチャルリアリティ等、ますます多くの３次元製品が人々の生活に登場している。時間が経つにつれて、単純な平面インタラクションは３次元インタラクションに取って代わることになる。そのため、従来の囲碁、五目並べ、チェッカーを打破して、汎用の３次元空間棋を提供し、巧妙に棋盤を設計することで、空間囲碁、空間五目並べ、空間チェッカー等を実現すると共に、観たり、打ったりすること等の難題を解決し、周知の棋（盤上で駒などを動かして対戦する遊技）の技術分野において、娯楽の中で人々の３次元の能力を鍛える必要がある。
【発明の概要】
【発明が解決しようとする課題】
【０００４】
本発明は、従来技術の棋盤が２次元棋盤である問題を解決する六面体棋盤及び六面体棋を提供することを目的とする。
【課題を解決するための手段】
【０００５】
本発明のその技術課題を解決するために採用した技術手段は以下の通りである。
【０００６】
一方において、６つの表面を有する棋盤本体を備え、６つの前記表面にはいずれも複数の棋格子が開設され、複数の前記棋格子内にはいずれも駒を吸着するための磁石が設けられ、これによって前記棋盤本体の棋格子内に前記駒を配置及び吸着させる六面体棋盤を提供する。
【０００７】
本発明による六面体棋盤において、前記表面における棋格子は、ｎ×ｎの格子状の配列を形成し、前記ｎは正の整数である。
【０００８】
本発明による六面体棋盤において、各前記表面の複数の前記棋格子は、複数の三面棋格子と、複数の二面棋格子と、複数の一面棋格子とを含み、
各前記表面の複数の前記三面棋格子の前記格子状の配列における座標がそれぞれ（１，１）、（１，ｎ）、（ｎ，１）及び（ｎ，ｎ）であり、
各前記表面の複数の前記二面棋格子の前記格子状の配列における座標がそれぞれ（１，２）、（１，３）……（１，ｎ−１）、（２，１）、（３，１）……（ｎ−１，１）、（２，ｎ）、（３，ｎ）……（ｎ−１，ｎ）、（ｎ，２）、（ｎ，３）……（ｎ，ｎ−１）であり、
各前記表面の複数の前記一面棋格子の前記格子状の配列における座標がそれぞれ（２，２）、（２，３）……（２，ｎ−１）、（３，２）、（３，３）……（３，ｎ−１）……（ｎ−１，２）、（ｎ−１，３）……（ｎ−１，ｎ−１）である。
【０００９】
本発明による六面体棋盤において、前記一面棋格子は、１つの底面及び４つの側面を含み、中空構造で５面を有する棋格子を形成し、
前記二面棋格子は、１つの底面及び３つの側面を含み、中空構造で４面を有する棋格子を形成し、
前記三面棋格子は、１つの底面及び２つの側面を含み、中空構造で３面を有する棋格子を形成する。
【００１０】
本発明による六面体棋盤において、立方体枠組みをさらに備え、前記立方体枠組みは、隣接する２つの前記表面の交差位置にそれぞれ配置された複数の枠棒を含んでいる。
【００１１】
本発明による六面体棋盤において、前記立方体枠組みは複数の角丸装置を備え、複数の前記角丸装置は３つの前記表面の交点位置にそれぞれ配置される。
【００１２】
本発明による六面体棋盤において、前記棋盤本体は立方体である。
【００１３】
他方において、前述のような六面体棋盤及び複数の駒を含む六面体棋を提供する。
【００１４】
本発明による六面体棋において、前記駒は立方体であり、前記立方体の辺の長さは前記棋格子の幅よりも小さいことで、前記駒を前記棋格子内の磁石に吸着させる。
【００１５】
本発明による六面体棋において、前記駒は球体であり、前記球体の直径は前記棋格子の幅よりも小さいことで、前記駒を前記棋格子内の磁石に吸着させる。
【発明の効果】
【００１６】
上記に開示された六面体棋盤及び六面体棋は、棋盤内に磁石を設けることによって六面体棋盤で棋を打つことを実現し、ユーザーが棋盤を観ることを容易にするだけではなく、娯楽の中で人々の３次元能力を鍛えるという有益な効果がある。
【図面の簡単な説明】
【００１７】
【図１】本発明の一実施例が提供する六面体棋盤の構造模式図である。
【図２】本発明の一実施例が提供する六面体棋の構造模式図である。
【発明を実施するための形態】
【００１８】
本発明の目的、技術手段及び利点をより明瞭にするために、以下に図面及び実施例を組み合わせて、本発明についてさらに詳しく説明する。なお、ここで記述した具体的な実施例は、単に本発明を解釈するためのものであり、本発明を限定するためのものではないことを理解すべきである。
【００１９】
本発明は、六面体棋盤１００及び六面体棋１０を提供し、棋盤内に磁石１２を設けることによって六面体棋盤１００で、例えば空間囲碁、空間五目並べ、空間チェッカー等の棋を打つことを実現し、ユーザーが棋盤を観ることを容易にしただけでなく、娯楽の中で人々の３次元能力を鍛えることを目的とする。
【００２０】
図１を参照すると、図１は本発明の一実施例による六面体棋盤１００の構造模式図であり、六面体棋盤１００は、６つの表面を有する棋盤本体１及び立方体枠組み２を備えている。６つの前記表面にはいずれも凹溝を有する複数の棋格子１１が開設され、複数の前記棋格子１１内には、いずれも駒２００を吸着するための磁石１２が配置されている。これによって、前記棋盤本体１の棋格子１１内に前記駒２００を配置及び吸着させる。
【００２１】
また、前記棋盤本体１は立方体であることが好ましい。すると、各表面内の棋格子１１はｎ×ｎの格子状の配列を形成し、前記ｎは９又は１１又は１３又はその他の正の整数である。
【００２２】
各前記表面の複数の前記棋格子１１は、複数の三面棋格子１１３と、複数の二面棋格子１１２と、複数の一面棋格子１１１とを含み、六面体棋盤１００は６つの表面を有し、一般的に、各表面は４つの三面棋格子１１３を有する。各三面棋格子１１３は、いずれも隣接する２つの表面の三面棋格子１１３と一体に連なり、４つの前記三面棋格子１１３の前記格子状の配列における座標がそれぞれ（１，１）、（１，ｎ）、（ｎ，１）及び（ｎ，ｎ）である。三面棋格子１１３は、六面体棋盤１００における３つの表面で１つの棋格子１１を共用している。同図に示すように、前記三面棋格子１１３は、１つの底面及び２つの側面を含み、中空構造で３面を有する棋格子１１を形成する。即ち、棋格子１１の凹溝は３つの面により構成される。好ましくは、磁石１２は底面位置に配置され、各面にいずれも磁石１２を配置してもよい。
【００２３】
各表面において、複数の前記二面棋格子１１２は前記格子状の配列における上側の第１行、下側の第１行、左側の第１列及び右側の第１列で三面棋格子１１３以外の位置にあり、上側の第１行の座標はそれぞれ（１，２）、（１，３）……（１，ｎ−１）であり、左側の第１列の座標はそれぞれ（２，１）、（３，１）……（ｎ−１，１）であり、右側の第１列の座標はそれぞれ（２，ｎ）、（３，ｎ）……（ｎ−１，ｎ）であり、下側の第１行の座標はそれぞれ（ｎ，２）、（ｎ，３）……（ｎ，ｎ−１）である。複数の前記二面棋格子１１２は、いずれも隣接する表面の二面棋格子１１２と一体に連なる。二面棋格子１１２は、六面体棋盤１００における２つの表面で１つの棋格子１１を共用している。同図に示すように、前記二面棋格子１１２は１つの底面及び３つの側面を含み、中空構造で４面を有する棋格子１１を形成する。即ち、棋格子１１の凹溝は４つの面により構成される。好ましくは、磁石１２は底面位置に配置されてもよく、各面にいずれも磁石１２を配置してもよい。
【００２４】
各表面において、複数の前記一面棋格子１１１は三面棋格子１１３及び二面棋格子１１２以外の棋格子１１である。前記一面棋格子１１１は１つの底面及び４つの側面を含み、中空構造で５面を有する棋格子１１を形成する。即ち、棋格子１１の凹溝は５つの面により構成される。その座標は（２，２）、（２，３）……（２，ｎ−１）、（３，２）、（３，３）……（３，ｎ−１）……（ｎ−１，２）、（ｎ−１，３）……（ｎ−１，ｎ−１）である。好ましくは、磁石１２は底面位置に配置されてもよく、各面にいずれも磁石１２を配置してもよい。
【００２５】
前記立方体枠組み２は、複数の枠棒２１及び複数の角丸装置２２を含み、複数の前記枠棒２１は隣接する２つの前記表面の交差位置に配置され、複数の前記角丸装置２２は３つの前記表面の交点位置に配置される。一般的に、六面体棋盤１００の立方体枠組み２の枠棒２１の数は１２であり、角丸装置２２の数は８である。角丸装置２２は三方連結装置であり、隣接する３本の枠棒２１をそれぞれ連結することで、棋盤本体１を包み込む立方体枠組み２の構造を形成する。好ましくは、複数の枠棒２１及び複数の角丸装置２２は一体成型されてもよい。
【００２６】
図２を参照すると、図２は本発明の一実施例による六面体棋１０の構造模式図であり、六面体棋１０は六面体棋盤１００及び複数の駒２００を含んでいる。
【００２７】
好ましくは、前記駒２００は立方体であり、前記立方体の辺の長さは前記棋格子１１の幅より小さい。これにより、前記駒２００は前記棋格子１１内の磁石１２に吸着され、棋格子１１の凹溝に埋め込まれる。
【００２８】
好ましくは、前記駒２００は球体であり、前記球体の直径は前記棋格子１１の幅より小さい。これにより、前記駒２００は前記棋格子１１内の磁石１２に吸着され、棋格子１１の凹溝に埋め込まれる。
【００２９】
本明細書では実施例の様々な操作も提供している。一実施例において、上記した１つ又は複数の操作はコンピュータ読み取り可能な媒体に記憶されるコンピュータ読み取り可能な１つ又は複数の命令を構成することができ、電子機器により実行される時、演算デバイスに前記操作を実行させる。説明した一部又は全ての操作順序はこれらの操作が必ず順序的に関連することを意味すると解釈されるべきではない。当業者であれば、本明細書の有益な取替可能な配列を理解するであろう。そして、全ての操作が必ず本明細書により提供される各実施例に存在するわけではないことを理解すべきである。
【００３０】
さらに、本明細書に採用される用語「好ましい（好ましくは）」とは、実例、例示又は例証として用いられることを意味する。本明細書で記述された「好ましい」任意の側面又は設計は必ずしもその他の側面又は設計よりも有利であると解釈されるべきではない。逆に、「好ましい」という用語の使用は、特定の形態で概念を提出するためである。本願で使用される「又は」のような用語は、除外される「又は」の意味ではなく、含む「又は」ということを意味する。即ち、特に指定されない限り、或いは文脈から明らかである場合、「ＸがＡ又はＢを使用する」とは、配列されたいずれか１つを自然に含むことを意味する。即ち、ＸがＡを使用する；ＸがＢを使用する；又はＸがＡ及びＢの両者を使用するとした場合、「ＸがＡ又はＢを使用する」ことは前述のいずれか例で満たされる。
【００３１】
また、本開示は１つ又は複数の実施形態に関して示され説明されてきたが、当業者は本明細書及び図面に対する閲読及び理解に基づいて等価変形や修正を想到できる。本開示はこのような全ての修正と変形を含み、且つ、特許請求の範囲のみで制限される。特に、上記の構成要素（例えば素子等）により実行される各種機能に関して、このような構成要素を説明するための用語は、構造的に本明細書に記載された本開示の例示的な実施形態における機能を実行する開示構造と同等ではなくても、前記構成要素の所定機能（例えば機能上では等価的である）を実行するための任意の構成要素（特に指定されない限り）に対応することを意味する。また、本開示の特定特徴が既に複数の実施形態におけるただ１つにより開示されているが、このような特徴は、所定又は特定の用途にとって望ましく、且つ有利であり得る他の実施形態の１つ又は他の特徴と組み合わせることができる。そして、用語「備える」、「有する」、「含有する」又はその変形は、具体的な実施形態又は特許請求の範囲で用いられる場合、このような用語は用語「含む」と類似な形態で含まれることを意味する。
【００３２】
本発明の実施例における各機能手段は１つの処理モジュールに統合することができ、各手段が単独に物理的存在してもよく、複数又は複数以上の手段を１つのモジュールに統合してもよい。上記統合したモジュールはハードウェアの形態により実現されてもよく、ソフトウェア機能モジュールの形態により実現されてもよい。前記統合されたモジュールがソフトウェア機能モジュールの形態で実現され、且つ独立の製品として販売又は使用される場合、コンピュータ読み取り可能な記憶媒体に記憶されてもよい。上記した記憶媒体は、読み取り専用メモリ、磁気ディスク、又は光ディスク等であってもよい。上記の各装置又はシステムは、対応する方法実施例における記憶方法を実行することができる。
【００３３】
以上により、本発明は既に好ましい実施例により開示されたが、上記の好ましい実施例は本発明を制限するためのものではない。当業者であれば、本発明の精神と範囲を逸脱せずに、様々な変更及び修飾することができるため、本発明の保護範囲は特許請求の範囲によって定義される。
【図１】
2020513946.tif 000003
【図２】
2020513946.tif 000004
【国際調査報告】
2020513946.tif 000005
2020513946.tif 000006
2020513946.tif 000007
2020513946.tif 000008